(57)【要約】【課題】  釣糸や釣糸仕掛け（以下、釣糸等という）の測長や作製改修（以下、測長作製等という）には従来、目印測長、両腕測長、任意引っ張り等があった。該手法は絡みつき等のトラブル多く、不正確で非能率であった。近年考案された波形スリット法は釣糸の測長には有効であるが釣糸等の測長作製等には使えないので、釣糸等の測長と作製改修を同時に行える新たな測長作製等器具が必要である。【解決手段】  機械式又は電気式カウンターの回転軸に繋合された測長車の左右に２つの遊び車をおき、該３つの回転車に釣糸等を架糸させて測長車円周面上での釣糸等の交叉を防ぎ測長作製等実施時の釣糸等付属物の引っ掛りを防ぎ、併せて伸長された弾性紐体の復元力を利用した自律的移動機構により釣糸等に復元力と同じ張力が常に付与される所定長部位を創出し、釣糸等の測長と同時に作製改修も可能な新たな測長作製等器具を提供する。【選択図】図１
2013236608.tif 000002
【特許請求の範囲】
【請求項１】
機械式又は電気式カウンターの回転軸に繋合された測長車の左右に２つの遊び車を配置させ、左遊び車⇒測長車⇒右遊び車の順に釣糸または釣糸仕掛け（以下、釣糸等という）を架糸させて測長車の円周面上での釣糸等の交叉を回避し、釣糸等の測長や作製改修実施時における釣糸等付属物の引っ掛りを防止し、併せて、伸長されたゴムやコイルばね等の弾性紐体の復元力を利用した自律的移動機構によって、釣糸等付属物の結着作業等でその張力が多少緩んでも常に該弾性紐体の復元力と同じ張力に修正された張力が付与された部位を釣糸等の所定長に創出させ、釣糸等の測長と作製改修を同時に実施可能とする釣糸等の測長作製等器具
【発明の詳細な説明】
【技術分野】
【０００１】  本発明は、釣糸または釣糸仕掛け（以下、釣糸等という）の測長、並びに釣糸等の測長と同時に釣糸等に編込み、目印、結び目、小物金具、等の各種付属物を結着可能とし、測長と作製改修（以下、測長作製等という）が同時にしかも絡みつき等のトラブルなく高精度、高能率で行えるような釣糸等の測長作製等器具に関する。
【背景技術】
【０００２】  例えば、鮎釣り用の釣糸仕掛けは、空中糸と空中糸より細い水中糸の２種類の釣糸を基本としてこれらに編込み、目印、結び目、小物金具等の各種付属物を結着させた形で成り立っている。これら釣糸仕掛けを作る時に必要な作業は、（１）空中糸と水中糸の長さ測定や定長測定並びにそれらの繋合、（２）空中糸の一部への長さ調節用環部（ループ）作製や水中糸への目印結着のための編込み、（３）目印および撚戻し、鼻環等の小物金具の結着、（４）釣糸等の測長作製等のための定長測長、部分長測定、全長測定、等である。これらの作業は従来、テーブルやこたつ台またはこれらの面にきりのよい長さの印をつけてそれに釣糸等を合せ、その合せた回数で長さを知る方法（これを「目印測長」と名付ける）や両腕を広げた時の長さを予め測っておき、その両腕に取った釣糸等の回数から長さを知る方法（これを「両腕測長」と名付ける）、あるいは、何らかのスタンドのようなものに釣糸等をクリップ等で留めるか、釣糸等の一定長さの両端を棒状部材に取り付けたねじ等で留てピンと張る方法（これを「任意引っ張り」と名付ける）で行われていた。釣糸の長さ測定や定長測長に関しては近年、実用新案登録第３１３３１４９号が登場したのでトラブルなく高精度、高能率で行えるようになった。しかし、該実用新案は「波形スリット」という部材の波形狭小空間に釣糸等を挿通させて機械式又は電気式カウンターの回転軸を回すのに必要な張力を釣糸等に与える方式（これを「波形スリット法」と名付ける）のため、（２）、（３）、（４）のように釣糸に各種付属物が結着された釣糸等の場合は、釣糸等の各種付属物が該波形狭小空間を通過できないか、結着された各種付属物を所定位置からずらしてしまったりするので使用できない。もし、該波形狭小空間を狭小でない空間にすると今度は測長車を駆動させるのに必要な張力が得られない。
以上のような状況に鑑み、釣糸等の測長と作製改修を同時に、トラブルなく、高精度、高能率で行えるような新たな釣糸等の測長作製等器具が必要である。
関連公知技術としての特許第３６４１１９８号は０．１グラムないし３．０グラムの範囲の張力状態で巻き取られた釣糸がスプール（本件発明の糸巻にあたる）の端部から順に整列して平行に巻き取られていることを特徴とする釣糸ユニットを提供すること、および該釣糸ユニットを製造するための釣糸巻取装置に関するものである。しかるに、本件発明で釣糸等に付与する張力は機械式又は電気式カウンターに繋合された測長車を駆動させるのに必要な張力であり、該公知技術のような０．１グラムないし３．０グラムの範囲の定められた張力ではない。また張力の付与方法が該公知技術では釣糸の送り出し速度と巻取り速度の制御によるのに対し、本件発明ではコイルばねや軟質弾性体の変形量を調節して所要の張力を付与する方法である。
【発明の概要】
【発明が解決しようとする課題】
【０００３】  鮎釣り用の釣糸等の測長作製等において、釣糸の長さ測定や定長測長は欠かせない作業であるが、波形スリット法と名付けた実用新案登録第３１３３１４９号によってトラブルなくしかも効率よく出来るようになった。しかし、該波形スリット法では、釣糸等の各種付属物が波形スリットの波形部材と釣糸等の接触擦れ部で引っ掛り、または各種付属物が釣糸等の所定位置からずれてしまうので使えない。また、関連公知技術としての特許第３６４１１９８号は所定の張力を付与した釣糸をスプール全体に平行に整列させて巻き取ることを主眼に釣糸ユニット製造上の課題解決を目的にしており、釣糸等の測長作製等上の課題解決を目的とする本件発明とはその目的が異なる。そこで、釣糸等の測長と作製改修を同時にしかもトラブルなく高精度、高能率で行える新たな釣糸等の測長作製等器具が必要である。
【先行技術文献】
【０００４】
【特許文献】
【特許文献】  特許第３６４１１９８号
【０００５】
【実用新案文献】
実用新案登録第３１３３１４９号
【課題を解決するための手段】
【０００６】  前述の課題を解決するため本件発明では、その中心部にボルト軸をもつ糸巻台が用意される。釣糸等が巻かれた糸巻の中心孔に該ボルト軸が挿入され、該糸巻は、コイルばねや軟質弾性体等を介して該ボルト軸に適合する押え力調節ナットにより、押される力が、測長車の駆動に必要な張力を釣糸等に付与させるように調節された状態で該糸巻台に装着される。一端が引き出された該釣糸等は、右遊び車、測長車、左遊び車の順に架糸されることによって測長車の円周面上での交叉が避けられるようになり、これにより測長作製等実施時の釣糸等の各種付属物の引っ掛りを防ぎながら他の糸巻等に巻かれ、もう一方の糸巻台に押される力が調節可能なように装着される。該糸巻台は伸長されたゴムやコイルばね等の弾性紐体の復元力により、ストッパーを外すとベース板の外側に自律的に移動（スライド）するように配設されたスライドバー上に固定される。かくして釣糸等に該弾性紐体の復元力と同じ張力を常に付与させた所定長の部位を創出させて、釣糸等の測長作業と同時に、釣糸等に、編込み、目印、結び目、小物金具等の各種付属物を結着させることが可能な新たな釣糸等の測長作製等器具が提供される。
【発明の効果】
【０００７】  実釣時に使用される釣糸仕掛けは、空中糸（天上糸ともいう）と空中糸より細い水中糸という２種類の釣糸を基本として、これらに編込み、目印、結び目、小物金具等の各種付属物を結着させた形で成り立っている。これら釣糸仕掛けを作る時に必要な作業は、（１）空中糸と水中糸の長さ測定や定長測定、およびそれらの繋合、（２）空中糸の一部に長さ調節用の環部（ループ）作製や水中糸への目印結着のための編込み、（３）目印および撚戻し、鼻環等の小物金具の結着、（４）釣糸等の測長作製等のための定長測長、部分長測定、全長測定、等である。（１）の釣糸の長さ測定や定長測長に関しては実用新案登録第３１３３１４９号によってトラブルなく高精度、高能率で行えるようになった。しかし、この技術は釣糸等を波形スリットの波形狭小空間に挿通させて機械式又は電気式カウンターの回転軸を回すのに必要な張力を釣糸等に与える方式、つまり波形スリット法のため、（２）、（３）、（４）の場合のような釣糸等の測長作製等では釣糸等の各種付属物が該波形狭小空間を通過できないか、結着された各種付属物をずらしてしまったりするので使用できない。もし、該波形狭小空間を狭小でない空間にすると、今度は測長車の駆動に必要な張力を釣糸等に付与できない。
【０００８】  以上のような現状に鑑みて本件発明においては、その中心部にボルト軸をもつ糸巻台が用意される。釣糸等が巻かれた糸巻の中心孔に該ボルト軸が挿入され、該糸巻は、コイルばねや軟質弾性体等を介して該ボルト軸に適合する押え力調節ナットによって押される力が、測長車の駆動に必要な張力をもつように調節された状態で該糸巻台に装着される。該糸巻からその一端が引き出された釣糸等は、右遊び車、測長車、左遊び車の順に架糸されることにより、測長車の円周面上での交叉が避けられ、測長作製等実施時の釣糸等の各種付属物の引っ掛りを防ぎながら他の糸巻等に巻かれる。そして、該糸巻等はもう一方の糸巻台に、押される力が調節可能なように装着される。該一方の糸巻台は伸長されたゴムやコイルばね等の弾性紐体の復元力により、ストッパーを外すとベース板の外側に自律的に移動（スライド）するように配設されたスライドバー上に固定される。かくして釣糸等に該弾性紐体の復元力と同じ張力を常に付与させた所定長の部位を創出させて、釣糸等の測長作業と同時に、釣糸等に、編込み、目印、結び目、小物金具等の各種付属物を結着可能とさせるような新たな釣糸等の測長作製等器具が提供される。
【図面の簡単な説明】
【０００９】
【図１】  本発明を実施するための最良の形態の正面図で（ａ）は通常状態、（ｂ）はスライドバーの伸長状態である。
【図２】  本発明を実施するための最良の形態の平面図で（ａ）は通常状態、（ｂ）はスライドバーの伸長状態である。
【発明を実施するための形態】
【００１０】以下、本件発明の実施の形態を図に基づいて説明する。
【実施例】
【００１１】  図１に示すように、釣糸等１が巻かれた糸巻２は、その中心孔２ａに傾斜つき糸巻台３の中心部に配設されたボルト軸３ａが挿入され、スペーサー３ｂ、ばねまたは軟質弾性体３ｃを介して押え力調節ナット３ｄにより所定の押え力を付与された状態で糸巻台３に装着される。【００１２】  該糸巻２から一端を引き出された釣糸等１は、右遊び車４ａ⇒測長車５⇒左遊び車４ｂの順に架糸される。測長車５は図２に示すように機械式又は電気式カウンター６の回転軸６ｃに繋合されるので架糸された釣糸等１の移動量は該カウンターの表示数字６ｂに示される。また、左右２つの遊び車は遊び車保持部材７に回転自由に固定される。本件発明において、左右２つの遊び車を用いるのは、釣糸等と測長車円周面５ａとの接触距離を出来るだけ多くしながらも測長車円周面５ａ上での釣糸等の交叉を避けるためである。それにより釣糸だけでなく、目印、編込み、結び目、小物金具等の各種付属物がついた釣糸仕掛けにもトラブルなく使えるようになる。【００１３】  左遊び車４ｂを通過した釣糸等１は他の糸巻等８に巻き取られるが、他の糸巻等８への巻き取り操作は手持ちの手巻きでもよいし、左側の糸巻台９に、右側の糸巻台３の場合と同じように装着させて、手回しで巻き取ってもよい。巻き取り長さを測る時は巻き取りのはじめに図２のリセットボタン６ａを押してカウンターの表示数字６ｂのすべての桁を０としておく。なお、他の糸巻等８に与える押え力は釣糸等１が測長車５の円周面上の接触面で滑らずに回転するのに必要な張力を釣糸等１に与えるように調節される。【００１４】  釣糸仕掛けは複数種の釣糸とそれらに結着される各種付属物から成っている。鮎釣り用の釣糸仕掛けでは、目印や長さ調節部作製用の編込み、結び目、撚戻しや鼻環等の小形金物などが各種付属物である。これらの結着作業を行う場合には糸巻が移動も回転も出来ない状態に保たれ、釣糸等が引き抜けない状態において所定の張力が付与された所定長部位を釣糸等に創出する必要がある。【００１５】  図１においてスライドバー１１はベース板１２の上に置かれ、２つのスライドバー保持具１３ａ、１３ｂによって左右方向のみがスライド（移動）自由に保持される。スライドバー１１の後方突起物１４にゴム等の高分子材料やコイルばね等の弾性紐体１５の一端を繋結し、一方のスライドバー保持具１３ａに回転自由に固定された弾性紐体用遊び車１６に架紐させて方向反転させた後、該弾性紐体１５の他端をベース板１２に固定されたフランジ付突起物１７に繋結させる。これらの操作を該弾性紐体１５の自由長以上に伸長させた状態で行うと、スライドバー１１にはベース板１２から左方向にスライドさせるような力が常に働くから、止めねじ１８でベース板１２に固定されたストッパー１９のスライドバー１１との接触部１９ａでそのスライド（移動）を止められ、図１（ａ）のような通常状態（スライドバーが押し込まれた状態）が保たれる。【００１６】  スライドバー１１にはスライドバー引出しつまみ２０が着接され、左側の糸巻台９はスライドバー１１とスライドバー引出しつまみ２０に着接されるので、スライドバー１１とスライドバー引出しつまみ２０および左側の糸巻台９は常に一体として移動する。また、釣糸等の糸巻等への巻き取りはじめや途中切断して他の釣糸等を繋合させる等の改修作業を行う場合などで、釣糸等の一端を臨時的に留めておく必要があるときは、遊び車保持部材７等に着接された釣糸等仮留め器１０に一時的に保持される。【００１７】  釣糸等に各種付属物を結着するために、所定の力で引っ張られたピンと張った部分を釣糸等の一部に設ける場合は、スライドバー引出しつまみ２０の指通孔２０ａに指を通しストッパー１９を押し外すとスライドバー１１が自律的に左方向にスライドするので、付属物の結着作業等で釣糸等が多少緩んでも釣糸等に、ゴム等の高分子材料やコイルばね等の弾性紐体１５の復元力と同じ張力が常に付与されるように修正された所定長の部位を創出させることが可能となる。このときストッパー１９は弾性変形するだけだからスライドバー１１がスライドした後は元の形状に戻る。【００１８】  スライドバー１１は図２に示されるように、その下面に溝１１ａをもつ２本のロッドで構成され、溝１１ａの各々には突起部分１１ｂが付設される。スライドバー１１が自律的にスライドしてまたは手動で引き出されるとき、該突起部分１１ｂがベース板１２に付設されたもう一方の突起部分１２ａに最初にあたるので、この状態で右側の糸巻台３の押え力調節ナット３ｄをスペーサー３ｂに密着するまで回すと糸巻２と糸巻台３は剛体密着となるから糸巻２は糸巻台３に完全に固定されて釣糸等１は糸巻２から完全に抜けない状態となる。また、左側の糸巻台９に装着された他の糸巻等８は手回し可能な程度にしておいてスライドバー１１をさらに引き出すと突起部分１１ｂが突起部分１２ａを飛び越えた状態になるからこの状態で他の糸巻等８を糸巻２と同じように完全に固定すると、釣糸等１には弾性紐体１５と同じ張力が付与された長さ１ａ〜１ｂの部位が創出され、各種付属物の結着が可能となる。弾性紐体１５の弾性限度長がその自由長の５〜６倍のものを採用するとしたときは、図１（ａ）、図２（ａ）のスライドバー１１が押込まれた通常状態では弾性紐体１５の長さが自由長の４〜５倍に、図１（ｂ）、図２（ｂ）のスライドバー１１が引き出された伸長状態では弾性紐体１５の長さが自由長の３〜４倍になるようにし、これで張力が不足な場合はもっと大きなばね定数をもつ弾性紐体を用いればよい。以上の説明のとおり、本件発明においては、スライドバー１１には常に左側に移動させるような力が働く構造になっているので作業中に多少釣糸等が緩んだとしてもたえず弾性紐体１５と同じ張力をもつ所定長さの部位が確保される。
なお、ピント張られた状態で釣糸等が切れてしまった場合には、溝１１ａの終点がベース板１２に付設されたもう一方の突起部分１２ａにぶつかった所でスライドバーの自律的移動は停止される。
【符号の説明】
【００１９】１  釣糸等（釣糸および釣糸仕掛け）
２  糸巻
３  糸巻台（右側の）
３ａ  ボルト軸
３ｂ  スペーサー
３ｃ  コイルばね又は軟質弾性体
３ｄ  押え力調節ナット
４ａ  右側遊び車
４ｂ  左側遊び車
５  測長車
５ａ  測長車の円周面
６  機械式又は電気式カウンター
７  遊び車保持部材
８  他の糸巻等
９  糸巻台（左側の）
１０  釣糸等仮留め器
１１  スライドバー
１１ａ  スライドバーに設けられた溝
１１ｂ  スライドバーに設けられた溝内の突起部分
１２  ベース板
１２ａ  ベース板１２に付設されたもう一方の突起部分
１３ａ  左側のスライドバー保持具
１３ｂ  右側のスライドバー保持具
１４  スライドバーの後方突起物
１５  ゴム等の高分子材料やコイルばね等の弾性紐体
１６  弾性紐体用遊び車
１７  ベース板に固定されたフランジ付突起物
１８  ストッパーの止めねじ
１９  ストッパー
１９ａ  ストッパーとスライドバーの接触面
２０  スライドバー引出しつまみ
２０ａ  スライドバー引出しつまみの指通孔
【図１】
2013236608.tif 000003
【図２】
2013236608.tif 000004